(57)【要約】【課題】人体の身長や身幅に応じて縦横寸法を自由に変えることができ、保管に場所を取らず、緊急時の対応に支障がない隔離用カバーを提供する。【解決手段】隔離用カバー１Ａは、横長の第１開口２８および第２開口２９を有して人体の前面を被覆する前身頃２と、人体の後面を被覆する後身頃３と、第１開口２８を塞ぐ可撓性の透明なプレート３０と、第２開口２９を塞ぐ繊維不織布３１と、プレート３０を弾性変形させる第１および第２ベルト３６ａ，３６ｂとから構成されている。隔離用カバー１Ａでは、それらベルト３６ａ，３６ｂの自由部４１をプレート３０の側部３５に止着することで、プレート３０がカバー１Ａの厚み方向上方へ凸となるように湾曲するとともに、前後身頃２，３とプレート３０とに囲繞された頭部収容スペース５７がカバー１Ａに形成される。【選択図】図１
2005205069.tif 000002
【特許請求の範囲】
【請求項１】
仰向けに寝かせた人体の少なくとも上半身を包被して該人体を外気から隔てる縦長の隔離用カバーにおいて、
前記カバーが、前記人体の頭部を覆う位置に横長の第１開口を有して該人体の前面を被覆する前身頃と、前記人体の後面を被覆する後身頃と、前記前身頃に固着されて前記第１開口を塞ぐ可撓性の透明な合成樹脂プレートと、前記プレートを弾性変形させるベルトとから構成され、
前記前身頃と前記後身頃とが、病原体バリア性かつ通気性を有する柔軟な第１シートから作られ、前記ベルトが、前記プレートの横方向両側部の一方に固着された固定端部と、前記固定端部から横方向外方へ延びていて前記プレートの横方向両側部の他方に止着手段を介して着脱可能な自由部とを有し、
前記カバーでは、前記ベルトの自由部を前記後身頃の外面を横断させて前記プレートの横方向両側部の他方に止着することで、前記プレートが前記カバーの厚み方向上方へ凸となるように湾曲するとともに、前記前後身頃と前記プレートとに囲繞された頭部収容スペースが前記カバーに形成されることを特徴とする隔離用カバー。
【請求項２】
前記ベルトの自由部の横寸法が、前記プレートの横方向両側部間のそれよりも短い請求項１記載の隔離用カバー。
【請求項３】
前記ベルトが、前記プレートの前端部の側に偏倚して横方向へ延びる第１ベルトと、前記プレートの後端部の側に偏倚して横方向へ延びる第２ベルトとから形成されている請求項１または請求項２に記載の隔離用カバー。
【請求項４】
前記前身頃が、前記プレート近傍に形成された第２開口を有し、前記第２開口を塞ぐ柔軟な第２シートが、前記前身頃に固着され、前記第２シートが、病原体バリア性かつ前記第１シートよりも高い通気性を有する請求項１ないし請求項３いずれかに記載の隔離用カバー。
【請求項５】
前記カバーが、その周縁部に形成された出入口を有して前記人体の全身を包被する寝袋状を呈し、前記出入口が、前記前身頃と前記後身頃との周縁部に取り付けられた第１ファスナ手段を介して開閉可能である請求項１ないし請求項４いずれかに記載の隔離用カバー。
【請求項６】
前記前身頃が、前記プレートの縦方向下方に位置して縦方向へ延びる少なくとも一条のスリットを有し、前記スリットが、前記前身頃に取り付けられた第２ファスナ手段を介して開閉可能である請求項１ないし請求項５いずれかに記載の隔離用カバー。
【請求項７】
前記プレートには、それを厚み方向へ貫通する第１通気孔が形成され、空気浄化機能を有して前記カバー内から空気を吸引する排気装置と空気浄化機能を有して前記カバー内に空気を送り込む通風装置とのいずれか一方が、前記第１通気孔に着脱可能に連結される請求項１ないし請求項６いずれかに記載の隔離用カバー。
【請求項８】
前記プレートには、それを厚み方向へ貫通する第２通気孔が形成され、前記排気装置と前記通風装置とのいずれか他方が、前記第２通気孔に着脱可能に連結される請求項７記載の隔離用カバー。
【請求項９】
前記止着手段が、メカニカルファスナのフック部材とループ部材とから形成され、前記フック部材と前記ループ部材との一方が、前記ベルトの自由部に取り付けられ、前記フック部材と前記ループ部材との他方が、前記プレートの横方向両側部の他方に取り付けられている請求項１ないし請求項８いずれかに記載の隔離用カバー。
【請求項１０】
前記止着手段が、前記ベルトの自由部に塗布された粘着剤であり、前記粘着剤が、剥離紙に被覆保護されている請求項１ないし請求項８いずれかに記載の隔離用カバー。
【発明の詳細な説明】
【技術分野】
【０００１】
本発明は、人体を外気から隔てる隔離用カバーに関する。
【背景技術】
【０００２】
感染症に冒された患者を外気から隔離した状態で運搬する搬送装置がある（特許文献１参照）。特許文献１に開示の搬送装置は、キャスタを有する台車と、換気装置を備えた本体部と、患者を寝かせるベッド部と、ベッド部を覆うカプセル部とから構成されている。この搬送装置では、本体部が台車に着脱可能に取り付けられ、ベッド部とカプセル部とが本体部に着脱可能に取り付けられる。カプセル部は、あらかじめドーム状に成形された頭部カプセルおよび身体部カプセルから形成され、頭部カプセルが本体部の上下方向へ旋回可能であり、身体部カプセルが本体部の前後方向へスライド可能である。
【０００３】
患者を搬送装置に収容するには、患者をベッド部の上に寝かせた後、頭部カプセルを本体部の上方へ旋回させるとともに、身体部カプセルを本体部の後端から前方へスライドさせる。頭部カプセルを本体部の上方へ旋回させると、頭部カプセルが患者の頭部を覆い、身体部カプセルを本体部の前方へスライドさせると、身体部カプセルが患者の頸部から脚部までを覆う。身体部カプセルは、それを本体部の後端に向かってスライドさせることによって、本体部から取り外すことができる。
【特許文献１】特開２００２−１７７８４号公報
【発明の開示】
【発明が解決しようとする課題】
【０００４】
特許文献１に開示の搬送装置では、本体部やベッド部、カプセル部の縦寸法と横寸法とが決まっているので、収容する患者の身長や身幅に応じてそれら部の寸法を自由に変えることができない。また、この搬送装置は、それをコンパクトに畳むことができず、保管に場所を取り、保有し得る個数に限りがあるので、数不足が生じて一度に多数の患者を隔離する事態に対処することができない場合がある。さらに、この搬送装置は、本体部を着脱可能に取り付ける所定寸法の専用の台車が必要であり、搬送装置を緊急車両に使用する場合、隔離が必要な患者または隔離が不必要な患者に応じ、緊急車両にあらかじめ乗載されたストレッチャーとこの搬送装置を取り付けた台車との乗せ換えを行わなければならず、そのための時間と手間とを要し、緊急時の対応に支障が生じる。
【０００５】
本発明の目的は、人体の身長や身幅に応じて縦横寸法を自由に変えることができ、保管に場所を取らずに複数個を保有することができ、一度に多数の人体を隔離する事態に対処することができる隔離用カバーを提供することにある。本発明の他の目的は、専用の台車を必要とせず、緊急車両にあらかじめ乗載されたストレッチャーで使用することができ、緊急時の対応に支障がない隔離用カバーを提供することにある。
【課題を解決するための手段】
【０００６】
前記課題を解決するための本発明の前提は、仰向けに寝かせた人体の少なくとも上半身を包被して人体を外気から隔てる縦長の隔離用カバーである。
【０００７】
前記前提における本発明の特徴は、カバーが、人体の頭部を覆う位置に横長の第１開口を有して該人体の前面を被覆する前身頃と、人体の後面を被覆する後身頃と、前身頃に固着されて第１開口を塞ぐ可撓性の透明な合成樹脂プレートと、プレートを弾性変形させるベルトとから構成され、前身頃と後身頃とが、病原体バリア性かつ通気性を有する柔軟な第１シートから作られ、ベルトが、プレートの横方向両側部の一方に固着された固定端部と、固定端部から横方向外方へ延びていてプレートの横方向両側部の他方に止着手段を介して着脱可能な自由部とを有することにある。この隔離用カバーは、ベルトの自由部を後身頃の外面を横断させてプレートの横方向両側部の他方に止着すると、プレートがカバーの厚み方向上方へ凸となるように湾曲するとともに、前後身頃とプレートとに囲繞された頭部収容スペースがカバーに形成される。
【０００８】
本発明は、以下の実施態様を有する。
（１）本発明の実施態様の一例は、ベルトの自由部の横寸法がプレートの横方向両側部間の横寸法よりも短い。
（２）本発明の実施態様の他の一例は、ベルトが、プレートの前端部の側に偏倚して横方向へ延びる第１ベルトと、プレートの後端部の側に偏倚して横方向へ延びる第２ベルトとから形成されている。
（３）本発明の実施態様の他の一例は、前身頃がプレート近傍に形成された第２開口を有し、第２開口を塞ぐ柔軟な第２シートが前身頃に固着され、第２シートが病原体バリア性かつ前記第１シートよりも高い通気性を有する。
（４）本発明の実施態様の他の一例は、カバーがその周縁部に形成された出入口を有して人体の全身を包被する寝袋状を呈し、出入口が前身頃と後身頃との周縁部に取り付けられた第１ファスナ手段を介して開閉可能である。
（５）本発明の実施態様の他の一例は、前身頃がプレートの縦方向下方に位置して縦方向へ延びる少なくとも一条のスリットを有し、スリットが前身頃に取り付けられた第２ファスナ手段を介して開閉可能である。
（６）本発明の実施態様の他の一例として、プレートには、それを厚み方向へ貫通する第１通気孔が形成され、空気浄化機能を有してカバー内から空気を吸引する排気装置と空気浄化機能を有してカバー内に空気を送り込む通風装置とのいずれか一方が第１通気孔に着脱可能に連結される。
（７）本発明の実施態様の他の一例として、プレートには、それを厚み方向へ貫通する第２通気孔が形成され、空気浄化機能を有してカバー内から空気を吸引する排気装置と空気浄化機能を有してカバー内に空気を送り込む通風装置とのいずれか他方が第２通気孔に着脱可能に連結される。
（８）本発明の実施態様の他の一例は、止着手段がメカニカルファスナのフック部材とループ部材とから形成され、フック部材とループ部材との一方がベルトの自由部に取り付けられ、フック部材とループ部材との他方がプレートの横方向両側部の他方に取り付けられている。
（９）本発明の実施態様の他の一例は、止着手段がベルトの自由部に塗布された粘着剤であり、粘着剤が剥離紙に被覆保護されている。
【発明の効果】
【０００９】
本発明に係る隔離用カバーによれば、ベルトの自由部を後身頃の外面を横断させるとともに、プレートの剛性に抗してベルトの自由部をプレートの横方向側部に止着することで、プレートをカバーの厚み方向上方へ凸となるように湾曲させることができ、カバーに人体の頭部を収容可能な頭部収容スペースを形成することができる。カバーは、前後身頃が病原体バリア性かつ通気性の第１シートから作られ、病原体や放射性微粒子が前後身頃を透過することがないので、病原体や放射性微粒子がカバー内から外気へ飛散することはなく、また、病原体や放射性微粒子が外気からカバー内に侵入することがない。カバーは、隔離が必要な感染症に冒された患者や放射性微粒子が付着した被爆者を外気から隔てることができ、患者の体内に侵入した病原体や被爆者に付着した放射性微粒子の外気への飛散を防止することができる。カバーは、外気に病原体や放射性微粒子が浮遊している場合、健常者を外気から隔てることができ、健常者に対する病原体の感染や放射性微粒子の付着を防ぐことができる。
【００１０】
この隔離用カバーは、プレートの横方向側部に対するベルトの自由部の止着位置を変えることで、湾曲するプレートの曲率半径を調節することができ、隔離する人体の頭部の大きさに応じて頭部収容スペースの横寸法と高さ寸法とを変えることができる。カバーは、前後身頃が柔軟な第１シートから作られているので、隔離する人体の身長や身幅に応じてカバーの縦寸法と横寸法とを自由に変えることができる。カバーは、それを折り畳んだ状態で保管することができ、保管に場所を取らず、複数個のカバーを保有することができ、一度に多数の人体を隔離する必要が生じたとしても、数不足による支障を来すことがない。また、カバーは、専用の台車を必要とせず、緊急車両にあらかじめ乗載されたストレッチャーに乗せて使用することができるので、緊急時の対応に支障が生じることはない。
【００１１】
ベルトの自由部の横寸法がプレートの横方向両側部間のそれよりも短い隔離用カバーでは、ベルトの自由部をプレートの横方向側部に止着することで、プレートの両側部どうしを横方向へ確実に近づけることができ、プレートをカバーの厚み方向上方へ確実に湾曲させることができる。
【００１２】
ベルトが第１および第２ベルトから形成された隔離用カバーでは、第１ベルトがプレートの前端部の側に偏倚し、第２ベルトがプレートの後端部の側に偏倚しているので、それらベルトの自由部をプレートの横方向側部に止着することで、プレートの前端部の側と後端部の側とを略同形に湾曲させることができ、湾曲させたプレートがいびつになることはない。このカバーは、それらベルトの一方の自由部がプレートの横方向側部から不用意に外れたとしても、それらベルトの他方によってプレートの湾曲状態を維持することができる。
【００１３】
前身頃に第２開口が形成され、第２開口が病原体バリア性かつ第１シートよりも高い通気性を有する柔軟な第２シートに塞がれた隔離用カバーは、空気が第２シートを容易に透過するので、第２シートを介して空気をカバー内に取り入れたり、空気をカバー外に放出することができ、カバー内が酸素不足にならず、カバー内において容易に呼吸をすることができる。このカバーは、病原体や放射性微粒子が第２シートを透過することがないので、病原体や放射性微粒子が第２シートから外気へ飛散することはなく、また、病原体や放射性微粒子が第２シートからカバー内に侵入することがない。
【００１４】
カバーがその周縁部に形成された出入口を有して人体の全身を包被する寝袋状を呈し、出入口が前身頃と後身頃との周縁部に取り付けられた第１ファスナ手段を介して開閉可能な隔離用カバーでは、人体の一部がカバーから露出することはなく、全身を外気から隔てることができ、病原体や放射性微粒子のカバー内から外気への飛散を確実に防ぐことができるとともに、カバー内の人体に対する病原体の感染や放射性微粒子の付着を確実に防ぐことができる。このカバーは、出入口を第１ファスナ手段を介して閉じることができるので、病原体や放射性微粒子が出入口から外気に飛散することはなく、病原体や放射性微粒子が出入口からカバー内に侵入することはない。
【００１５】
プレートの縦方向下方に位置して縦方向へ延びる少なくとも一条のスリットが前身頃に形成され、スリットが前身頃に取り付けられた第２ファスナ手段を介して開閉可能な隔離用カバーでは、救急隊員や医師がスリットを開けてカバー内の人体の脈拍、心拍数を計ることや心臓マッサージをすることができ、カバー内から人体を出すことなく緊急処置や医療行為を行うことができる。このカバーは、スリットを第２ファスナ手段を介して閉じることができるので、病原体や放射性微粒子がスリットから外気に飛散することはなく、病原体や放射性微粒子がスリットからカバー内に侵入することはない。
【００１６】
プレートに第１通気孔が形成され、空気浄化機能を有する排気装置と通風装置とのいずれか一方が第１通気孔に着脱可能に連結される隔離用カバーでは、第１通気孔に排気装置が連結された場合、排気装置を介してカバー内を負圧にすることができ、カバー内の病原体や放射性微粒子が排気装置に捕集され、病原体や放射性微粒子の外気への飛散を確実に防ぐことができる。このカバーでは、第１通気孔に通風装置が連結された場合、外気を浮遊する病原体や放射性微粒子が通風装置に捕集され、病原体や放射性微粒子のカバー内への侵入を防ぎつつ、通風装置を介して第１通気孔から浄化された空気をカバー内に送り込むことができる。
【００１７】
プレートに第１通気孔の他に第２通気孔が形成され、排気装置と通風装置とのいずれか他方が第２通気孔に着脱可能に連結される隔離用カバーでは、第１通気孔に排気装置と通風装置との一方が連結され、第２通気孔にそれら装置の他方が連結された場合、排気装置を介して通気孔からカバー内の空気を外気に放出しつつ、通気装置を介して通気孔から浄化された空気をカバー内に送り込むことができ、空気を循環させてカバー内を常に浄化された空気で満たすことができる。
【００１８】
止着手段がメカニカルファスナのフック部材とループ部材とから形成され、フック部材とループ部材との一方がベルトの自由部に取り付けられ、フック部材とループ部材との他方がプレートの横方向側部に取り付けられた隔離用カバーでは、フック部材とループ部材との係合力を利用してプレートの横方向側部に対するベルトの自由部の止着状態を維持することができる。
【００１９】
止着手段がベルトの自由部に塗布された粘着剤である隔離用カバーでは、メカニカルファスナをプレートの横方向側部に取り付けることなく、粘着剤の粘着力を利用してプレートの横方向側部に対するベルトの自由部の止着状態を維持することができる。
【発明を実施するための最良の形態】
【００２０】
添付の図面を参照し、本発明に係る隔離用カバーの詳細を説明すると、以下のとおりである。
【００２１】
図１，２は、一例として示す隔離用カバー１Ａの部分破断斜視図と、前身頃２と後身頃３とを分離して示す図１のカバー１Ａの分解斜視図とであり、図３，４は、図１のＩＩＩ−ＩＩＩ線端面図と、図１のＩＶ−ＩＶ線端面図とである。図５は、図１のＶ−Ｖ線矢視断面図である。図１では、出入口２７の一部とスリット５２の一部とを開けた状態で示す。図１，２では、横方向を矢印Ｌ、縦方向を矢印Ｍで示し、厚み方向（図２のみ）を矢印Ｎで示す。このカバー１Ａは、感染症に冒された患者や放射性微粒子が付着した被爆者を外気から隔離したり、外気に病原体や放射性微粒子が浮遊している場合に健常者を外気から隔離するときに使用する。
【００２２】
カバー１Ａは、仰向けに寝かせた人体の全身を包被する寝袋状であって縦方向へ長い矩形を呈する。カバー１Ａは、人体の前面を被覆する前身頃２と、人体の後面を被覆する後身頃３とから形成され、横方向へ延びる前後端部４，５と、縦方向へ延びる両側部６，７とを有する。前身頃２と後身頃３とは、病原体バリア性かつ通気不透液性の繊維不織布８（第１シート）から作られている。
【００２３】
前身頃２は、縦長矩形を呈し、横方向へ延びる前後端部９，１０と、縦方向へ延びる両側部１１，１２とを有する。前身頃２は、人体の胸部から頭部までを被覆する身頃上部１３と、人体の腹部から脚部までを被覆する身頃下部１４とに区分されている。前身頃２では、身頃上部１３の後端縁１５が身頃下部１４の前端縁１６の外側に重なり、それら部１３，１４の端縁１５，１６どうしが固着され、身頃上下部１３，１４が一連につながっている。後身頃３は、縦長矩形を呈し、横方向へ延びる前後端部１７，１８と、縦方向へ延びる両側部１９，２０とを有するとともに、人体の肩甲部から頭部までを被覆する身頃上部２１と、肩甲部を除く人体の背部から脚部までを被覆する身頃下部２２とを有する。
【００２４】
前後身頃２，３の身頃上部１３，２１では、それら身頃２，３の前端部９，１７と両側部１１，１２，１９，２０とが重なり、前端部９，１７どうしが固着され、側部１１，１９どうしと側部１２，２０どうしとが固着されている。前後身頃２，３の身頃下部１４，２２の後端部１０，１８と両側部１１，１２，１９，２０と（周縁部）には、縦横方向へ連続して延びるジップファスナ２３（第１ファスナ手段）が取り付けられている。身頃下部１４，２２では、後端部１０，１８どうしがファスナを介して連結され、側部１１，１９どうしと側部１２，２０どうしとがファスナ２３を介して連結されている。ファスナ２３は、後身頃３の身頃下部２２の後端部１８および両側部１９，２０の部分２４に被覆されている。ファスナ２３を被覆する後端部１８および両側部１９，２０の部分２４には、縦横方向へ連続して延びる粘着剤２５が塗布されている。粘着剤２５は、剥離紙２６に被覆保護されている。カバー１Ａの後端部５（周縁部）と両側部６，７と（周縁部）には、人体をカバー１Ａ内に入れたり、カバー１Ａ外に出したりするための出入口２７が形成されている。出入口２７は、後端部５から両側部６，７にかけて一連につながり、ファスナ２３を介して開閉可能である。
【００２５】
前身頃２の身頃上部１３には、前身頃２を厚み方向へ貫通する横長矩形の第１開口２８と、第１開口２８の下方に位置して前身頃２を厚み方向へ貫通する横長矩形の第２開口２９とが形成されている。第１開口２８は、身頃上部１３の略横方向中央であって人体の頭部を覆う位置に形成され、全体が可撓性を有する透明な合成樹脂プレート３０に塞がれている。第２開口２９は、身頃上部１３の略横方向中央であって人体の胸部を覆う位置に形成され、全体が病原体バリア性かつ通気性の繊維不織布３１（第２シート）に塞がれている。不織布３１は、その通気性が前後身頃２，３を形成する不織布８のそれよりも高い。不織布３１は、面積が第２開口２９のそれよりもわずかに大きく、周縁部が前身頃２に固着されている。
【００２６】
プレート３０は、面積が第１開口２８のそれよりもわずかに大きく、横方向へ延びる前後端部３２，３３と、縦方向へ延びる両側部３４，３５（横方向両側部）とを有する。プレート３０では、第１開口２８の縁から縦方向外方へ延出する前後端部３２，３３の一部と第１開口２８の縁から横方向外方へ延出する両側部３４，３５の一部とが前身頃２に固着されている。プレート３０の一方の側部３４には、プレート３０を弾性変形させるためのベルト３６が取り付けられている。プレート３０の他方の側部３５外面には、横方向へ延びるループ部材３７（止着手段）が取り付けられている。プレート３０には、それを厚み方向へ貫通する第１および第２通気孔３８，３９が形成されている。
【００２７】
ベルト３６は、プレート３０の前端部３２の側に偏倚して横方向へ延びる第１ベルト３６ａと、プレート３０の後端部３３の側に偏倚して横方向へ延びる第２ベルト３６ｂとから形成されている。第１および第２ベルト３６ａ，３６ｂは、プレート３０の側部３４外面に固着された固定端部４０と、固定端部４０から横方向外方へ延びる自由部４１とを有する。自由部４１は、横寸法がプレート３０の両側部３４，３５間の横寸法よりも短い。自由部４１には、フック部材４２（止着手段）が取り付けられている。それらベルト３６ａ，３６ｂの自由部４１は、それに取り付けられたフック部材４２をプレート３０に取り付けられたループ部材３７に係合させることで、プレート３０の側部３５に着脱可能に止着することができる。
【００２８】
第１および第２通気孔３８，３９は、プレート３０の前端部３２の側に位置し、横方向へ離間して並んでいる。第１および第２通気孔３８，３９は、プレート３０の厚み方向上方へ延びる筒部４３を有する。筒部４３の先端部分には、それら通気孔３８，３９を塞ぐキャップ４４が着脱可能に取り付けられている。第１および第２通気孔３８，３９の一方には、カバー１Ａ内から空気を吸い出す排気装置５８が着脱可能に連結される。第１および第２通気孔３８，３９の他方には、カバー１Ａ内に空気を送り込む通風装置５９が着脱可能に連結される（図９参照）。排気装置５８は、その内部にフィルタ（図示せず）を備え、フィルタにおいて病原体や放射性微粒子を捕集し、カバー１Ａ内の空気を浄化して外気に放出する。通風装置５９は、その内部にフィルタ（図示せず）を備え、フィルタにおいて病原体や放射性微粒子を捕集し、外気を浄化してカバー１Ａ内に空気を送り込む。それら装置５８，５９のフィルタには、０．３μｍの微粒子の捕集率が９９．９７％以上のＨＥＰＡフィルタ（High Efficiency Particulate Airfilter）や０．１５μｍの微粒子の捕集率が９９．９９９％以上のＵＬＰＡフィルタ（Ultra Low Penetorration Airfilter）が使用されている。
【００２９】
前身頃２の身頃下部１４は、横方向へ並ぶ第１〜第４部位４５，４６，４７，４８に分割されている。身頃下部１４では、第１部位４５の側部４５ａが第２部位４６の側部４６ｂの外側に重なり、第２部位４６の側部４６ａが第３部位４７の側部４７ｂの外側に重なるとともに、第３部位４７の側部４７ａが第４部位４８の側部４８ｂの外側に重なっている。第１〜第４部位４５，４６，４７，４８の側部４５ａ，４６ａ，４６ｂ，４７ａ，４７ｂ，４８ｂには、縦方向へ延びるジップファスナ４９（第２ファスナ手段）が取り付けられている。それらファスナ４９は、部位４５，４６，４７の側部４５ａ，４６ａ，４７ａに被覆されている。部位４５，４６，４７の側部４５ａ，４６ａ，４７ａ内面には、縦方向へ連続して延びる粘着剤５０が塗布されている。粘着剤５０は、剥離紙５１に被覆保護されている。第１〜第４部位４５，４６，４７，４８の間には、横方向へ所定寸法離間して縦方向へ延びる３条のスリット５２が形成されている。それらスリット５２は、身頃下部１４の横寸法を３等分する位置に形成されて身頃下部１４を縦断している。スリット５２は、ファスナ４９を介して開閉可能である。
【００３０】
図６，７は、出入口２７を拡大して示す図と、スリット５２を拡大して示す図とである。図６では、ジップファスナ４９の一部が後身頃３の部分２４に被覆されている。図７では、ジップファスナ４９の一部が部位４５，４６，４７の側部４５ａ，４６ａ，４７ａに被覆されている。
【００３１】
ジップファスナ４９は、前後身頃２，３に固着されたテープ５３と、テープ５３の延びる方向へ並ぶ多数の務歯頭部５４が取り付けられたエレメント５５と、務歯頭部５４どうしを係脱させるスライダ５６とから形成されている。スライダ５６を移動させることによって、務歯頭部５４どうしを係合させたり、務歯頭部５４どうしの係合を解除することができ、それによって出入口２７やスリット４９を開閉することができる。また、剥離紙２６，５１を剥がして粘着剤２５，５０を露出させ、粘着剤２５を介して後身頃３の後端部１８と両側部１９，２０との部分２４を前身頃２の外面に止着することで出入口２７（ファスナ２３を含む）を密封することができ（図６参照）、粘着剤５０を介して第１〜第３部位４５，４６，４７の側部４５ａ，４６ａ，４７ａを側部４６ｂ，４７ｂ，４８ｂの外面に止着することでスリット５２（ファスナ４７を含む）を密封することができる（図７参照）。
【００３２】
図８，９は、折り畳んだ状態で示す図１のカバー１Ａの斜視図と、人体１００を隔離した使用状態で示す図１のカバー１Ａの斜視図とである。図９では、カバー１Ａと人体１００とがストレッチャー６０に乗せられている。図９では、横方向を矢印Ｌ、縦方向を矢印Ｍで示し、厚み方向を矢印Ｎで示す。カバー１Ａは、図８に示すように、それを後端部５から前端部４に向かって縦方向へ前後身頃２，３を折り重ね、コンパクトに畳むことができる。このカバー１Ａを使用する手順の一例は、以下のとおりである。
【００３３】
カバー１Ａを図８の折り畳まれた状態から縦方向へ展開し、第１および第２ベルト３６ａ，３６ｂの自由部４１を後身頃３の外面を横断させ、プレート３０の剛性に抗してそれら３６ａ，３６ｂの自由部４１をプレート３０の側部３５に止着する。自由部４１をプレート３０に止着するには、自由部４１に取り付けられたフック部材４２をプレート３０に取り付けられたループ部材３７に押し付け、フック部材４２とループ部材３７とを係合させればよい。自由部４１をプレート３０に止着すると、プレート３０の両側部３４，３５どうしが近づき、プレート３０が弾性変形してカバー１Ａの厚み方向上方へ凸となるように湾曲し、カバー１Ａに前後身頃２，３とプレート３０とに囲繞された頭部収容スペース５７が形成される。スペース５７は、人体１００の頭部１０１を覆うことが可能な横寸法と高さ寸法とを有する。スペース５７の横寸法と高さ寸法とは、プレート３０の側部３５（ループ部材３７）に対するベルト３６ａ，３６ｂの自由部４１の止着位置を変えることによって調整可能である。
【００３４】
スペース５７を作った後、第１および第２通気孔３８，３９の筒部４３からキャップ４４を取り外してそれら通気孔３８，３９を開け、第１通気孔３８に排気装置５８を取り付けるとともに、第２通気孔３９に通風装置５９を取り付ける。次に、スライダ５６を移動させて出入口２７を開け、出入口２７から患者や被爆者、健常者をカバー１Ａ内に入れて仰向けに寝かせ、再びスライダ５６を移動させて出入口２７を閉じる。さらに、剥離紙２６，５１を剥がして粘着剤２５，５０を露出させ、粘着剤２５を介して後身頃３の後端部１８と両側部１９，２０との部分２４を前身頃２の外面に止着し、部分２４によって出入口２７を密封するとともに、粘着剤５０を介して第１〜第３部位４５，４６，４７の側部４５ａ，４６ａ，４７ａを側部４６ｂ，４７ｂ，４８ｂの外面に止着し、側部４５ａ，４６ａ，４７ａによってスリット５２を密封する。
【００３５】
カバー１Ａでは、図９に二点鎖線で示す人体１００の頭部１０１がスペース５７に位置した状態で全身がカバー１Ａに包被される。カバー１Ａでは、身頃上部１３が人体１００の胸部１０２から頭部１０１までを被覆し、身頃下部１４が人体１００の腹部１０３から脚部１０４までを被覆するとともに、身頃上部２１が人体１００の肩甲部１０５から頭部１０１までを被覆し、身頃下部２２が肩甲部１０５を除く人体の背部１０６から脚部１０４までを被覆する。カバー１Ａに収容される人体１００の身長がカバー１Ａの縦寸法よりも小さい場合は、後端部５を縦方向内方へ折り曲げてカバー１Ａの縦寸法を小さくする。また、カバー１Ａに収容される人体１００の身幅がカバー１Ａの横寸法よりも小さい場合は、両側部６，７を横方向内方へ折り曲げてカバー１Ａの横寸法を小さくする。
【００３６】
カバー１Ａに人体１００を収容した後は、図９に示すように、排気装置５８と通風装置５９とを作動させた状態でカバー１Ａをストレッチャー６０の上に載せ、ストレッチャー６０を緊急車両に乗載して人体１００を医療機関に搬送したり、ストレッチャー６０を介してカバー１Ａとともに人体１００を治療室や検査室に運搬する。カバー１Ａは、排気装置５８と通風装置５９とを作動させることによって、カバー１Ａ内の空気が循環し、カバー１Ａ内を常に浄化された空気で満たすことができる。
【００３７】
なお、感染症に冒された患者や放射性微粒子が付着した被爆者にカバー１Ａを使用する場合は、排気装置５８を介してカバー１Ａ内の気圧を外気のそれよりも低くし、カバー１Ａ内の空気が排気装置５８以外から外気に放出されないようにすることが好ましく、通気孔３８，３９の一方に排気装置５８と通風装置５９とのうちの少なくとも排気装置５８を取り付ける。健常者にカバー１Ａを使用する場合は、通風装置５９を介してカバー１Ａ内の気圧を外気のそれよりも高くし、カバー１Ａ内に通風装置５９以外から空気が入り込まないようにすることが好ましく、通気孔３８，３９の一方に排気装置５８と通風装置５９とのうちの少なくとも通風装置５９を取り付ける。カバー１Ａに排気装置５８だけまたは通風装置５９だけを取り付ける場合は、第１および第２通気孔３８，３９のいずれか一方にキャップ４４を嵌め、それら通気孔３８，３９の一方を塞ぐ。
【００３８】
カバー１Ａは、第１および第２ベルト３６ａ，３６ｂの自由部４１を後身頃３の外面を横断させるとともに、プレート３０の剛性に抗して自由部４１をプレート３０の横方向側部３５に止着することで、プレート３０をカバー１Ａの厚み方向上方へ凸となるように湾曲させることができ、カバー１Ａに人体の頭部を収容可能な頭部収容スペース５７を形成することができる。
【００３９】
カバー１Ａは、隔離が必要な人体の全身を包被して人体を外気から隔てることができ、病原体や放射性微粒子の外気への飛散を防止することができる。また、外気に病原体や放射性微粒子が浮遊している場合であっても、人体を外気から隔てて人体に対する病原体の感染や放射性微粒子の付着を防ぐことができる。カバー１Ａは、前後身頃２，３が病原体バリア性かつ通気性の繊維不織布８から作られ、病原体や放射性微粒子が前後身頃２，３を透過することがないので、病原体や放射性微粒子がカバー１Ａ内から外気へ飛散することはなく、また、病原体や放射性微粒子が外気からカバー１Ａ内に侵入することがない。
【００４０】
カバー１Ａは、プレート３０の横方向側部３５（ループ部材３７）に対するベルト３６ａ，３６ｂの自由部４１の止着位置を変えることで、湾曲するプレート３０の曲率半径を調節することができ、隔離する人体の頭部の大きさに応じて頭部収容スペース５７の横寸法と高さ寸法とを変えることができる。カバー１Ａは、前後身頃２，３が柔軟な繊維不織布８から作られているので、隔離する人体の身長や身幅に応じてカバー１Ａの縦寸法と横寸法とを自由に変えることができる。
【００４１】
カバー１Ａは、それを折り畳み、その複数個を積み重ねて保管することができ、保管に場所を取らず、複数のカバー１Ａを保有することができるので、一度に多数の人体を隔離する必要が生じたとしても、数不足による支障を来すことがない。カバー１Ａは、専用の台車を必要とせず、緊急車両用のストレッチャーや医療機関用のストレッチャーに乗せて使用することができる。カバー１Ａは、折り畳まれた複数個のそれを救急隊員や医療関係者が抱えて持ち運ぶことができるとともに、人体をカバー１Ａから出すことなく、人体を隔離しままカバー１Ａとともに医療機関のベッドや手術台に移動させることができるので、緊急時の対応に支障が生じることはない。
【００４２】
カバー１Ａは、ベルト３６が第１ベルト３６ａと第２ベルト３６ｂとから形成されているので、それらベルト３６ａ，３６ｂの自由部４１をプレート３０の側部３５に止着することで、プレート３０の前端部３２の側と後端部３３の側とを略同形に湾曲させることができ、湾曲させたプレート３０がいびつになることはない。このカバー１Ａは、それらベルト３６ａ，３６ｂの一方の自由部４１がプレート３０の側部３５から不用意に外れたとしても、それらベルト３６ａ，３６ｂの他方によってプレート３０の湾曲状態を維持することができる。
【００４３】
カバー１Ａは、第２開口２９を被覆する不織布３１（第２シート）が病原体バリア性かつ不織布８（第１シート）よりも高い通気性を有するので、空気が不織布３１を容易に透過し、不織布３１を介して空気をカバー１Ａ内に取り入れたり、空気をカバー１Ａ外に放出することができ、カバー１Ａ内が酸素不足にならず、カバー１Ａ内において容易に呼吸をすることができる。カバー１Ａは、病原体や放射性微粒子が不織布３１を透過することがないので、病原体や放射性微粒子が不織布３１から外気へ飛散することはなく、また、病原体や放射性微粒子が不織布３１からカバー１Ａ内に侵入することがない。
【００４４】
カバー１Ａは、前身頃２に縦方向へ延びるスリット５２が形成されているので、救急隊員や医師がスリット５２を開いてカバー１Ａ内に収容された人体の脈拍、心拍数を計ることや心臓マッサージをすることができ、カバー１Ａ内から人体を出すことなく応急処置や医療行為を行うことができる。カバー１Ａでは、出入口２７やスリット５２をファスナ２３，４９（第１および第２ファスナ手段）を介して閉じることができるとともに、出入口２７やスリット５２を粘着剤２５，５０を介して密封することができるので、病原体や放射性微粒子が出入口２７やスリット５２から外気へ飛散することはなく、また、病原体や放射性微粒子が出入口２７やスリット５２からカバー１Ａ内に侵入することがない。
【００４５】
カバー１Ａでは、通気孔３８，３９の一方に排気装置５８が連結された場合、排気装置５８を介してカバー１Ａ内を負圧にすることができ、カバー１Ａ内の病原体や放射性微粒子が排気装置５８に捕集され、病原体や放射性微粒子の外気への飛散を確実に防ぐことができる。カバー１Ａでは、通気孔３８，３９の一方に通風装置５９が連結された場合、外気を浮遊する病原体や放射性微粒子が通風装置５９に捕集され、病原体や放射性微粒子のカバー１Ａ内への侵入を防ぎつつ、通風装置５９を介して通気孔３８，３９から浄化された空気をカバー１Ａ内に送り込むことができる。また、通気孔３８，３９の一方に排気装置５８と通風装置５９との一方が連結され、通気孔３８，３９の他方にそれら装置５８，５９の他方が連結された場合、排気装置５８を介して通気孔３８，３９からカバー１Ａ内の空気を外気に放出しつつ、通気装置５９を介して通気孔３８，３９から浄化された空気をカバー１Ａ内に送り込むことができ、空気を循環させることができる。
【００４６】
図１０，１１は、他の一例として示す隔離用カバー１Ｂの部分破断斜視図と、前身頃２と後身頃３とを分離して示す図１０のカバー１Ｂの分解斜視図とであり、図１２，１３は、図１０のＸＩＩ−ＸＩＩ端面図と、出入口２７を拡大して示す図とである。図１０，１１では、縦方向を矢印Ｌ、横方向を矢印Ｍで示し、厚み方向を矢印Ｎ（図１１のみ）で示す。
【００４７】
カバー１Ｂは、縦方向へ長い矩形を呈し、仰向けに寝かせた人体の上半身を包被する袋状である。カバー１Ｂは、人体の前面を被覆する前身頃２と、人体の後面を被覆する後身頃３とから形成され、横方向へ延びる前後端部４，５と、縦方向へ延びる両側部６，７とを有する。前身頃２と後身頃３とは、病原体バリア性かつ通気不透液性の繊維不織布８（第１シート）から作られている。
【００４８】
前身頃２は、縦長矩形を呈し、横方向へ延びる前後端部９，１０と、縦方向へ延びる両側部１１，１２とを有する。前身頃２には、その略横方向中央であって人体の頭部を覆う位置に横長矩形の第１開口２８が形成されている。第１開口２８は、全体が可撓性を有する透明な合成樹脂プレート３０に塞がれている。後身頃３は、縦長矩形を呈し、横方向へ延びる前後端部１７，１８と、縦方向へ延びる両側部１９，２０とを有する。
【００４９】
前後身頃２，３では、それら身頃２，３の前端部９，１７どうしが互いに重なり合った状態で固着され、それら身頃２，３の側部１１，１９どうしと側部１２，２０どうしとが互いに重なり合った状態で固着されている。なお、それら身頃２，３の後端部１０，１８どうしは固着されておらず、それら身頃２，３の側部１１，１９のうちのプレート３０から縦方向下方へ延びる側部１１ａ，１９ａどうしは固着されていない。前後身頃２，３の側部１１ａ，１９ａ（周縁部）には、縦方向へ延びるレールファスナ６１（第１ファスナ手段）が取り付けられている。カバー１Ｂの側部６（周縁部）には、人体をカバー１Ｂ内に入れたり、カバー１Ｂ外に出したりするための出入口２７が形成されている。出入口２７は、ファスナ６１を介して開閉可能である。
【００５０】
レールファスナー６１は、前後身頃２，３に固着されたテープ６２と、連続して延びる雄型および雌型のエレメント６３と、エレメント６３どうしを係脱させるスライダ６４とから形成されている。スライダ６４を移動させることによって、エレメント６３どうしを係合させたり、エレメント６３どうしの係合を解除することができ、それによって出入口２７を開閉することができる。
【００５１】
プレート３０は、面積が第１開口２８のそれよりもわずかに大きく、横方向へ延びる前後端部３２，３３と、縦方向へ延びる両側部３４，３５（横方向両側部）とを有する。プレート３０では、第１開口２８の縁から縦方向外方へ延出する前後端部３２，３３の一部と第１開口２８の縁から横方向外方へ延出する両側部３４，３５の一部とが前身頃２に固着されている。プレート３０の一方の側部３４には、プレート３０を弾性変形させるためのベルト３６が取り付けられている。プレート３０には、それを厚み方向へ貫通する第１通気孔３８が形成されている。
【００５２】
ベルト３６は、プレート３０の縦方向中央に位置して横方向へ延びている。ベルト３６は、プレート３０の側部３４外面に固着された固定端部４０と、固定端部４０から横方向外方へ延びる自由部４１とを有する。自由部４１は、横寸法がプレート３０の両側部３４，３５間の横寸法よりも短い。自由部４１には、剥離紙６６に被覆保護された粘着剤６５が塗布されている。ベルト３６の自由部４１は、粘着剤６５を介してプレート３０の側部３５に着脱可能に止着することができる。
【００５３】
第１通気孔３８は、プレート３０の厚み方向上方へ延びる筒部４３を有する。筒部４３の先端部分には、通気孔３８を塞ぐキャップ４４が着脱可能に取り付けられている。第１通気孔３８には、カバー１Ｂ内から空気を吸い出す排気装置５８とカバー１Ｂ内に空気を送り込む通風装置５９とのいずれか一方が着脱可能に連結される。排気装置５８と通風装置５９とは、図１のカバー１Ａに使用するそれらと同一である。
【００５４】
図１４は、人体１００を収容した使用状態で示す図１０のカバー１Ｂの斜視図である。図１４では、カバー１Ａと人体１００とがストレッチャー６０に乗せられている。このカバー１Ｂを使用する手順の一例は、以下のとおりである。ベルト３６の自由部４１から剥離紙６６を剥がして粘着剤６５を露出させた後、ベルト３６の自由部４１を後身頃３の外面を横断させ、プレート３０の剛性に抗してベルト３６の自由部４１をプレート３０の側部３５外面に止着する。自由部４１をプレート３０に止着するには、自由部４１に塗布された粘着剤６５をプレート３０に押し付ければよい。自由部４１をプレート３０に止着すると、プレート３０の両側部３４，３５どうしが近づき、プレート３０が弾性変形してカバー１Ｂの厚み方向上方へ凸となるように湾曲し、カバー１Ｂに前後身頃２，３とプレート３０とに囲繞された頭部収容スペース５７が形成される。スペース５７は、人体１００の頭部１０１を覆うことが可能な横寸法と高さ寸法とを有する。スペース５７の横寸法と高さ寸法とは、プレート３０の側部３５に対するベルト３６の自由部４１の止着位置を変えることによって調整可能である。
【００５５】
スペース５７を作った後、第１通気孔３８の筒部４３からキャップ４４を取り外して通気孔３８を開け、第１通気孔３８に排気装置５８と通風装置５９とのいずれか一方を取り付ける。次に、スライダ６４を移動させて出入口２７を開け、出入口２７から患者や被爆者、健常者をカバー１Ｂ内に入れて仰向けに寝かせ、再びスライダ６４を移動させて出入口２７を閉じる。カバー１Ｂでは、図１３に二点鎖線で示す人体１００の頭部１０１がスペース５７に位置した状態で上半身がカバー１Ｂに包被される。カバー１Ｂに収容される人体１００の身幅がカバー１Ｂの横寸法よりも小さい場合は、両側部６，７を横方向内方へ折り曲げてカバー１Ｂの横寸法を小さくする。カバー１Ｂに人体１００を収容した後は、カバー１Ｂをストレッチャー６０の上に載せ、ストレッチャー６０を緊急車両に乗載して人体１００を医療機関に搬送したり、ストレッチャー６０を介してカバー１Ｂとともに人体１００を治療室や検査室に運搬する。
【００５６】
なお、感染症に冒された患者や放射性微粒子が付着した被爆者にカバー１Ｂを使用する場合は、排気装置５８を介してカバー１Ｂ内の気圧を外気のそれよりも低くし、カバー１Ｂ内の空気が排気装置５８以外から外気に放出されないようにすることが好ましく、通気孔３８に排気装置５８を取り付ける。健常者にカバー１Ｂを使用する場合は、通風装置５９を介してカバー１Ｂ内の気圧を外気のそれよりも高くし、カバー１Ｂ内に通風装置５９以外から空気が入り込まないようにすることが好ましく、通気孔３８に通風装置５９を取り付ける。
【００５７】
カバー１Ｂは、ベルト３６の自由部４１を後身頃３の外面を横断させるとともに、プレート３０の剛性に抗して自由部４１をプレート３０の横方向側部３５に止着することで、プレート３０をカバー１Ｂの厚み方向上方へ凸となるように湾曲させることができ、カバー１Ｂに人体の頭部を収容可能な頭部収容スペース５７を形成することができる。
【００５８】
カバー１Ｂは、隔離が必要な人体の上半身を包被して人体を外気から隔てることができ、病原体や放射性微粒子の外気への飛散を防止することができる。また、外気に病原体や放射性微粒子が浮遊している場合であっても、人体を外気から隔てて人体に対する病原体の感染や放射性微粒子の付着を防ぐことができる。カバー１Ｂは、前後身頃２，３が病原体バリア性かつ通気性の繊維不織布８から作られているので、病原体や放射性微粒子が前後身頃２，３を透過することがない。
【００５９】
カバー１Ｂは、プレート３０の横方向側部３５に対するベルト３６の自由部４１の止着位置を変えることで、湾曲するプレート３０の曲率半径を調節することができ、隔離する人体の頭部の大きさに応じて頭部収容スペース５７の横寸法と高さ寸法とを変えることができる。カバー１Ｂは、前後身頃２，３が柔軟な繊維不織布から作られているので、隔離する人体の身幅に応じてカバー１Ｂの横寸法を自由に変えることができる。
【００６０】
カバー１Ｂは、図１のそれと同様に、折り畳んだ状態で保管することができ、保管に場所を取らず、複数のカバー１Ｂを保有することができ、一度に多数の人体を隔離する必要が生じたとしても、数不足による支障を来すことがない。カバー１Ｂは、専用の台車を必要とせず、緊急車両用のストレッチャーや医療機関用のストレッチャーに乗せて使用することができる。カバー１Ｂは、折り畳まれた複数個のカバー１Ｂを救急隊員や医療関係者が抱えて持ち運ぶことができるとともに、人体をカバー１Ｂから出すことなく、人体を隔離しままカバー１Ｂとともに医療機関のベッドや手術台に移動させることができるので、緊急時の対応に支障が生じることはない。
【００６１】
カバー１Ｂでは、通気孔３８に排気装置５８が連結された場合、排気装置５８を介してカバー１Ｂ内を負圧にすることができ、カバー１Ｂ内の病原体や放射性微粒子が排気装置５８に捕集され、病原体や放射性微粒子の外気への飛散を防ぐことができる。この場合、外気は、カバー１Ｂの後端部５からカバー１Ｂ内に入り込む。また、カバー１Ｂでは、通気孔３８に通風装置５９が連結された場合、外気を浮遊する病原体や放射性微粒子が通風装置５９に捕集され、病原体や放射性微粒子のカバー１Ｂ内への侵入を防ぎつつ、通風装置５９を介して通気孔３８から浄化された空気をカバー１Ｂ内に送り込むことができる。この場合、カバー１Ｂ内の空気は、カバー１Ｂの後端部５から外気に放出される。
【００６２】
前後身頃２，３を作る繊維不織布８（第１シート）と第２開口２９を塞ぐ繊維不織布３１（第２シート）とは、０．３μｍの微粒子の捕集率が９９．５％以上である。ゆえに、不織布８と不織布３１とは、病原体（細菌、ウイルス）に対する高いバリア性を有し、実質的に病原体不透過性である。それら不織布８，３１の捕集率が９９．５％未満では、病原体や放射性微粒子が前後身頃２，３や不織布３１を透過してカバー１Ａ，１Ｂ内から外気に飛散したり、病原体や放射性微粒子がカバー１Ａ，１Ｂ内に侵入してしまう場合がある。
【００６３】
第１シートや第２シートを形成する繊維不織布８，３１には、スパンレース、ニードルパンチ、メルトブローン、サーマルボンド、スパンボンド、ケミカルボンドの各製法により製造された不織布を使用することができる。不織布８，３１には、高い耐水性を有するメルトブローン法による不織布の両面または片面に高い強度と良好な柔軟性とを有するスパンボンド法による不織布を重ね合わせた複合不織布（ＳＭ不織布、ＳＭＳ不織布、ＳＭＭＳ不織布）を使用することもできる。不織布８，３１の構成繊維には、ポリエステル系、ポリアクリロニトリル系、ポリ塩化ビニル系、ポリエチレン系、ポリプロピレン系、ポリスチレン系を使用することができる。構成繊維には、芯鞘型複合繊維、並列型複合繊維、異型中空繊維、微多孔繊維、接合型複合繊維を使用することもできる。
【００６４】
前後身頃２，３には、病原体不透過性かつ通気不透液性プラスチックフィルム、病原体不透過性かつ通気不透液性繊維不織布と病原体不透過性かつ通気不透液性プラスチックフィルムとをラミネートした複合シートのいずれかを使用することもできる。プレート３０は、ポリエステル系、ポリアクリロニトリル系、ポリ塩化ビニル系、ポリエチレン系、ポリプロピレン系、ポリスチレン系の熱可塑性合成樹脂から作ることができる。プレート３０は、所定の剛性と厚み寸法とを有し、病原体不透過性であることはもちろん、不通気不透液性である。ベルト３６は、第１および第２シートと同様の繊維不織布８，３１または熱可塑性合成樹脂フィルムから作ることができる。
【００６５】
前後身頃２，３どうしの固着、前身頃２に対するプレート３０や不織布３１（第２シート）の固着、プレート３０に対するベルト３６の固着には、接着剤、または、ヒートシールやソニックシール等の熱による溶着手段を利用することができる。前後身頃２，３どうしの固着、前身頃２に対する不織布３１の固着には、ミシンによる縫製手段を利用することもできる。接着剤や粘着剤には、ホットメルト系やアクリル系、ゴム系を使用することができる。
【００６６】
図１のカバー１Ａでは、ファスナ手段としてジップファスナ２３を使用しているが、図１０のカバー１Ｂと同様に、レールファスナ６１を使用することもできる。なお、図１のカバー１Ａでは、ベルト３６の自由部４１に粘着剤５０を塗布し、プレート３０に対するループ部材３７の取り付けを省くこともできる。図１のカバー１Ａでは、第２開口２９やスリット５２が形成されていなくてもよく、プレート３０に第２通気孔３９が形成されていなくてもよい。また、図１０のカバー１Ｂでは、図１のカバー１Ａと同様に、プレート３０の縦方向下方に不織布３１（第２シート）に被覆された第２開口２９が形成されていてもよく、プレート３０に通気孔３８が形成されていなくてもよい。
【図面の簡単な説明】
【００６７】
【図１】一例として示す隔離用カバーの部分破断斜視図。
【図２】前身頃と後身頃とを分離して示す図１のカバーの分解斜視図。
【図３】図１のＩＩＩ−ＩＩＩ線端面図。
【図４】図１のＩＶ−ＩＶ線端面図。
【図５】図１のＶ−Ｖ線矢視断面図。
【図６】出入口を拡大して示す図。
【図７】スリットを拡大して示す図。
【図８】折り畳んだ状態で示す図１のカバーの斜視図。
【図９】人体を収容した使用状態で示す図１のカバーの斜視図。
【図１０】他の一例として示す隔離用カバーの斜視図。
【図１１】前身頃と後身頃とを分離して示す図１０のカバーの分解斜視図。
【図１２】図１０のＸＩ−ＸＩ端面図。
【図１３】出入口を拡大して示す図。
【図１４】人体を収容した使用状態で示す図１０のカバーの斜視図。
【符号の説明】
【００６８】
１Ａ    隔離用カバー
１Ｂ    隔離用カバー
２    前身頃
３    後身頃
４    前端部
５    後端部（周縁部）
６    側部（周縁部）
７    側部（周縁部）
８    繊維不織布（第１シート）
９    前端部
１０    後端部（周縁部）
１１    側部（周縁部）
１２    側部（周縁部）
１７    前端部
１８    後端部（周縁部）
１９    側部（周縁部）
２０    側部（周縁部）
２３    ジップファスナ（第１ファスナ手段）
２７    出入口
２８    第１開口
２９    第２開口
３０    合成樹脂プレート
３１    繊維不織布（第２シート）
３２    前端部
３３    後端部
３４    側部（横方向側部）
３５    側部（横方向側部）
３６    ベルト
３６ａ    第１ベルト
３６ｂ    第２ベルト
３７    ループ部材（止着手段）
３８    第１貫通孔
３９    第２貫通孔
４０    固定端部
４１    自由部
４２    フック部材（止着手段）
４９    ジップファスナ（第２ファスナ手段）
５２    スリット
５７    頭部収容スペース
５８    排気装置
５９    通風装置
６１    レールファスナ（第１ファスナ手段）
６５    粘着剤（止着手段）
６６    剥離紙
１００  人体
１０１    頭部
【図１】
2005205069.tif 000003
【図２】
2005205069.tif 000004
【図３】
2005205069.tif 000005
【図４】
2005205069.tif 000006
【図５】
2005205069.tif 000007
【図６】
2005205069.tif 000008
【図７】
2005205069.tif 000009
【図８】
2005205069.tif 000010
【図９】
2005205069.tif 000011
【図１０】
2005205069.tif 000012
【図１１】
2005205069.tif 000013
【図１２】
2005205069.tif 000014
【図１３】
2005205069.tif 000015
【図１４】
2005205069.tif 000016